【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
複数の電池セル（１２１）と、
複数の前記電池セルを内部に収容する筐体（１１０）と、
前記筐体内に形成され、前記電池セルの熱を前記筐体へ移動させるように熱交換用の流体が循環する循環通路（１３０）と、
前記循環通路に前記流体を流通させる送風機（１４０）と、
を備える電池パックであって、
前記循環通路には、
隣り合う前記電池セルの隙間によって形成される複数の電池通路（１３４）と、
前記電池通路の流入口（１３４ａ、１３４ｃ）に面した空間である流入側空間（Ｓｉｎ）と、
前記電池通路の流出口（１３４ｂ）に面した空間である流出側空間（Ｓｏｕｔ）と、
前記流入側空間および前記流出側空間とは異なる通路であって、前記筐体の内面に沿う通路である筐体沿い通路（１３１、１３２）と、
が含まれており、
前記流入側空間での前記流体の流速（Ｖ２）および前記流出側空間での前記流体の流速（Ｖ４）の両方が、前記筐体沿い通路での前記流体の流速（Ｖ１）よりも遅くなるように、前記循環通路が形成されていることを特徴とする電池パック。
【請求項２】
前記流入側空間での前記流体の流速（Ｖ２）および前記流出側空間での前記流体の流速（Ｖ４）の両方が、前記電池通路での前記流体の流速（Ｖ３）よりも遅くなるように、前記循環通路が形成されていることを特徴とする請求項１に記載の電池パック。
【請求項３】
複数の電池セル（１２１）と、
複数の前記電池セルを内部に収容する筐体（１１０）と、
前記筐体内に形成され、前記電池セルの熱を前記筐体へ移動させるように熱交換用の流体が循環する循環通路（１３０）と、
前記循環通路に前記流体を流通させる送風機（１４０）と、
を備える電池パックであって、
前記循環通路には、
隣り合う前記電池セルの隙間によって形成される複数の電池通路（１３４）と、
前記電池通路の流入口（１３４ａ、１３４ｃ）に面した空間である流入側空間（Ｓｉｎ）と、
前記電池通路の流出口（１３４ｂ）に面した空間である流出側空間（Ｓｏｕｔ）と、
前記流入側空間および前記流出側空間とは異なる通路であって、前記筐体の内面に沿う通路である筐体沿い通路（１３１、１３２）と、
が含まれており、
前記流入側空間での前記流体の流速（Ｖ２）および前記流出側空間での前記流体の流速（Ｖ４）の両方が、前記電池通路での前記流体の流速（Ｖ３）よりも遅くなるように、前記循環通路が形成されていることを特徴とする電池パック。
【請求項４】
前記筐体の内面には、前記筐体沿い通路へ突出して前記流体と熱交換するフィン（１５１）が設けられていることを特徴とする請求項１〜３のいずれか１つに記載の電池パック。
【請求項５】
前記筐体沿い通路は、前記フィンが配置されるフィン領域（１３１ａ）と、前記フィン領域の上流側に連通する領域であって前記フィンが配置されていないフィンレス領域（１３１ｂ）とに区画されており、
前記フィン領域へ前記流体が流入する流入口であるフィン流入口（１５１ａ）の面積は、前記フィンレス領域へ前記流体が流入する流入口であるフィンレス流入口（１３１ｃ）の面積よりも大きいことを特徴とする請求項４に記載の電池パック。
【請求項６】
複数の電池セル（１２１）と、
複数の前記電池セルを内部に収容する筐体（１１０）と、
前記筐体内に形成され、前記電池セルの熱を前記筐体へ移動させるように熱交換用の流体が循環する循環通路（１３０）と、
前記循環通路に前記流体を流通させる送風機（１４０）と、
を備える電池パックであって、
前記循環通路には、
隣り合う前記電池セルの隙間によって形成される複数の電池通路（１３４）と、
前記電池通路の流入口（１３４ａ、１３４ｃ）に面した空間である流入側空間（Ｓｉｎ）と、
前記電池通路の流出口（１３４ｂ）に面した空間である流出側空間（Ｓｏｕｔ）と、
前記流入側空間および前記流出側空間とは異なる通路であって、前記筐体の内面に沿う通路である筐体沿い通路（１３１、１３２）と、
が含まれており、
前記流入側空間での前記流体の流速（Ｖ２）および前記流出側空間での前記流体の流速（Ｖ４）の少なくとも一方が、前記筐体沿い通路での前記流体の流速（Ｖ１）よりも遅くなるように、前記循環通路が形成されており、
前記筐体の内面には、前記筐体沿い通路へ突出して前記流体と熱交換するフィン（１５１）が設けられており、
前記筐体沿い通路は、前記フィンが配置されるフィン領域（１３１ａ）と、前記フィン領域の上流側に連通する領域であって前記フィンが配置されていないフィンレス領域（１３１ｂ）とに区画されており、
前記フィン領域へ前記流体が流入する流入口であるフィン流入口（１５１ａ）の面積は、前記フィンレス領域へ前記流体が流入する流入口であるフィンレス流入口（１３１ｃ）の面積よりも大きいことを特徴とする電池パック。
【請求項７】
複数の電池セル（１２１）と、
複数の前記電池セルを内部に収容する筐体（１１０）と、
前記筐体内に形成され、前記電池セルの熱を前記筐体へ移動させるように熱交換用の流体が循環する循環通路（１３０）と、
前記循環通路に前記流体を流通させる送風機（１４０）と、
を備える電池パックであって、
前記循環通路には、
隣り合う前記電池セルの隙間によって形成される複数の電池通路（１３４）と、
前記電池通路の流入口（１３４ａ、１３４ｃ）に面した空間である流入側空間（Ｓｉｎ）と、
前記電池通路の流出口（１３４ｂ）に面した空間である流出側空間（Ｓｏｕｔ）と、
前記流入側空間および前記流出側空間とは異なる通路であって、前記筐体の内面に沿う通路である筐体沿い通路（１３１、１３２）と、
が含まれており、
前記流入側空間での前記流体の流速（Ｖ２）および前記流出側空間での前記流体の流速（Ｖ４）の少なくとも一方が、前記電池通路での前記流体の流速（Ｖ３）よりも遅くなるように、前記循環通路が形成されており、
前記筐体の内面には、前記筐体沿い通路へ突出して前記流体と熱交換するフィン（１５１）が設けられており、
前記筐体沿い通路は、前記フィンが配置されるフィン領域（１３１ａ）と、前記フィン領域の上流側に連通する領域であって前記フィンが配置されていないフィンレス領域（１３１ｂ）とに区画されており、
前記フィン領域へ前記流体が流入する流入口であるフィン流入口（１５１ａ）の面積は、前記フィンレス領域へ前記流体が流入する流入口であるフィンレス流入口（１３１ｃ）の面積よりも大きいことを特徴とする電池パック。
【請求項８】
前記フィンは、直線状に延びるストレートフィンであることを特徴とする請求項４〜７のいずれか１つに記載の電池パック。
【請求項９】
前記フィンと前記電池セルとの間をシールするシール材（１３０ｓ）を備えることを特徴とする請求項４〜８のいずれか１つに記載の電池パック。
【請求項１０】
前記筐体沿い通路は、前記流入側空間と連通する通路であり、
前記流入側空間は、前記筐体の内面と前記電池セルの間に形成された空間であり、
前記筐体の内面には、前記流入側空間へ突出する突出部（１１１ａ）が設けられていることを特徴とする請求項１〜９のいずれか１つに記載の電池パック。
【請求項１１】
前記突出部は、前記流入側空間のうち前記筐体沿い通路と連通する部分である連通口（１３３ａ）に対向するように、前記筐体の内面に沿って延びる形状であることを特徴とする請求項１０に記載の電池パック。
【請求項１２】
前記循環通路は、前記流体の全量が前記電池通路を流通するように形成されていることを特徴とする請求項１〜１１のいずれか１つに記載の電池パック。
【請求項１３】
前記循環通路は、前記流体の全量が前記筐体沿い通路を流通するように形成されていることを特徴とする請求項１〜１２のいずれか１つに記載の電池パック。
【手続補正２】
【補正対象書類名】明細書
【補正対象項目名】０００８
【補正方法】変更
【補正の内容】
【０００８】
開示される第１の発明は、
複数の電池セル（１２１）と、
複数の電池セルを内部に収容する筐体（１１０）と、
筐体内に形成され、電池セルの熱を筐体へ移動させるように熱交換用の流体が循環する循環通路（１３０）と、
循環通路に流体を流通させる送風機（１４０）と、を備える電池パックであって、
循環通路には、
隣り合う電池セルの隙間によって形成される複数の電池通路（１３４）と、
電池通路の流入口（１３４ａ、１３４ｃ）に面した空間であって、各々の流入口へ流体を分配する流入側空間（Ｓｉｎ）と、
電池通路の流出口（１３４ｂ）に面した空間であって、各々の流出口から流体を集合させる流出側空間（Ｓｏｕｔ）と、
流入側空間および流出側空間とは異なる通路であって、筐体の内面に沿う通路である筐体沿い通路（１３１、１３２）と、
が含まれており、
流入側空間での流体の流速（Ｖ２）および流出側空間での流体の流速（Ｖ４）の両方が、筐体沿い通路での流体の流速（Ｖ１）よりも遅くなるように、循環通路が形成されていることを特徴とする。
【手続補正３】
【補正対象書類名】明細書
【補正対象項目名】００１０
【補正方法】変更
【補正の内容】
【００１０】
この点を鑑みた上記第１の発明では、流入側空間での流体の流速（Ｖ２）および流出側空間での流体の流速（Ｖ４）の両方が、筐体沿い通路での流体の流速（Ｖ１）よりも遅い。そのため、流入側空間での流速を筐体沿い通路での流速よりも遅く（Ｖ２＜Ｖ１）することにより、流入側空間の流体は静圧化されて圧力分布が均一化される。よって、流入側空間から電池通路へ流入する流体の流入量の分布バラツキが低減される。また、流出側空間での流速を筐体沿い通路での流速よりも遅く（Ｖ４＜Ｖ１）することにより、流出側空間の流体は静圧化されて圧力分布が均一化される。よって、電池通路から流出側空間へ流出する流体の流出量の分布バラツキが低減される。
【手続補正４】
【補正対象書類名】明細書
【補正対象項目名】００１１
【補正方法】変更
【補正の内容】
【００１１】
以上により、上記第１の発明によれば、電池通路への流入量および電池通路からの流出量について、分布バラツキが低減される。よって、電池通路を流通する流体の流量分布バラツキを低減でき、ひいては、電池セルからの放熱量のバラツキを低減できる。よって、電池セルの温度分布バラツキを低減でき、その結果、電池パック全体の充放電性能を十分に発揮させることを促進できる。
【手続補正５】
【補正対象書類名】明細書
【補正対象項目名】００１２
【補正方法】変更
【補正の内容】
【００１２】
さらに上記第１の発明では、筐体沿い通路での流速を、流入側空間および流出側空間の流速よりも速くしているとも言える。そのため、筐体沿い通路の流体は、圧力エネルギの減少分だけ流速エネルギが増大し、流入側空間または流出側空間の流体に比べて流速が増大する。よって、流体の熱が筐体へ移動する際の熱伝達率を大きくでき、筐体から外部空気へ放熱する放熱量を増大できる。しかも、流速が速いほど、流速のバラツキに伴い生じる熱伝達率のバラツキは小さくなる。よって、筐体沿い通路のうちの流出場所によって流体の温度が異なるといった流体温度バラツキを抑制でき、ひいては、電池セルの温度分布バラツキ低減を促進できる。
【手続補正６】
【補正対象書類名】明細書
【補正対象項目名】００１４
【補正方法】変更
【補正の内容】
【００１４】
開示される第２の発明は、
複数の電池セル（１２１）と、
複数の電池セルを内部に収容する筐体（１１０）と、
筐体内に形成され、電池セルの熱を筐体へ移動させるように熱交換用の流体が循環する循環通路（１３０）と、
循環通路に流体を流通させる送風機（１４０）と、を備える電池パックであって、
循環通路には、
隣り合う電池セルの隙間によって形成される複数の電池通路（１３４）と、
電池通路の流入口（１３４ａ、１３４ｃ）に面した空間であって、各々の流入口へ流体を分配する流入側空間（Ｓｉｎ）と、
電池通路の流出口（１３４ｂ）に面した空間であって、各々の流出口から流体を集合させる流出側空間（Ｓｏｕｔ）と、
流入側空間および流出側空間とは異なる通路であって、筐体の内面に沿う通路である筐体沿い通路（１３１、１３２）と、
が含まれており、
流入側空間での流体の流速（Ｖ２）および流出側空間での流体の流速（Ｖ４）の両方が、電池通路での流体の流速（Ｖ３）よりも遅くなるように、循環通路が形成されていることを特徴とする。
【手続補正７】
【補正対象書類名】明細書
【補正対象項目名】００１５
【補正方法】変更
【補正の内容】
【００１５】
上記第２の発明によれば、流入側空間での流体の流速（Ｖ２）および流出側空間での流体の流速（Ｖ４）の両方が、電池通路での流体の流速（Ｖ３）よりも遅い。そのため、流入側空間での流速を電池通路での流速よりも遅く（Ｖ２＜Ｖ３）することにより、流入側空間の流体は静圧化されて圧力分布が均一化される。よって、流入側空間から電池通路へ流入する流体の流入量の分布バラツキが低減される。また、流出側空間での流速を電池通路での流速よりも遅く（Ｖ４＜Ｖ３）することにより、流出側空間の流体は静圧化されて圧力分布が均一化される。よって、電池通路から流出側空間へ流出する流体の流出量の分布バラツキが低減される。
【手続補正８】
【補正対象書類名】明細書
【補正対象項目名】００１６
【補正方法】変更
【補正の内容】
【００１６】
以上により、上記第２の発明によれば、電池通路への流入量および電池通路からの流出量について、分布バラツキが低減される。よって、電池通路を流通する流体の流量分布バラツキを低減でき、ひいては、電池セルからの放熱量のバラツキを低減できる。よって、電池セルの温度分布バラツキを低減でき、その結果、電池パック全体の充放電性能を十分に発揮させることを促進できる。
【手続補正９】
【補正対象書類名】明細書
【補正対象項目名】００１７
【補正方法】変更
【補正の内容】
【００１７】
さらに上記第２の発明では、電池通路での流速を、流入側空間および流出側空間の流速よりも速くしているとも言える。そのため、電池通路の流体は、圧力エネルギの減少分だけ流速エネルギが増大し、流入側空間または流出側空間の流体に比べて流速が増大する。よって、電池セルの熱が流体へ移動する際の熱伝達率を大きくでき、電池セルから流体へ放熱する放熱量を増大できる。しかも、流速が速いほど、流速のバラツキに伴い生じる熱伝達率のバラツキは小さくなる。よって、電池セルの温度分布バラツキ低減を促進できる。
【手続補正１０】
【補正対象書類名】明細書
【補正対象項目名】００１８
【補正方法】変更
【補正の内容】
【００１８】
そして、電池通路では、流速エネルギ増大に伴い流速分布にバラツキが促進されるが、先述したように流入側空間または流出側空間で静圧化される。したがって、電池通路への流体の分配バラツキによる電池セルの温度分布バラツキと、電池通路の放熱量増大との両立を図ることができる。
開示される第３の発明は、
複数の電池セル（１２１）と、
複数の電池セルを内部に収容する筐体（１１０）と、
筐体内に形成され、電池セルの熱を筐体へ移動させるように熱交換用の流体が循環する循環通路（１３０）と、
循環通路に流体を流通させる送風機（１４０）と、を備える電池パックであって、
循環通路には、
隣り合う電池セルの隙間によって形成される複数の電池通路（１３４）と、
電池通路の流入口（１３４ａ、１３４ｃ）に面した空間であって、各々の流入口へ流体を分配する流入側空間（Ｓｉｎ）と、
電池通路の流出口（１３４ｂ）に面した空間であって、各々の流出口から流体を集合させる流出側空間（Ｓｏｕｔ）と、
流入側空間および流出側空間とは異なる通路であって、筐体の内面に沿う通路である筐体沿い通路（１３１、１３２）と、
が含まれており、
流入側空間での流体の流速（Ｖ２）および流出側空間での流体の流速（Ｖ４）の少なくとも一方が、筐体沿い通路での流体の流速（Ｖ１）よりも遅くなるように、循環通路が形成されており、
筐体の内面には、筐体沿い通路へ突出して流体と熱交換するフィン（１５１）が設けられており、
筐体沿い通路は、フィンが配置されるフィン領域（１３１ａ）と、フィン領域の上流側に連通する領域であってフィンが配置されていないフィンレス領域（１３１ｂ）とに区画されており、
フィン領域へ流体が流入する流入口であるフィン流入口（１５１ａ）の面積は、フィンレス領域へ流体が流入する流入口であるフィンレス流入口（１３１ｃ）の面積よりも大きいことを特徴とする。
開示される第４の発明は、
複数の電池セル（１２１）と、
複数の電池セルを内部に収容する筐体（１１０）と、
筐体内に形成され、電池セルの熱を筐体へ移動させるように熱交換用の流体が循環する循環通路（１３０）と、
循環通路に流体を流通させる送風機（１４０）と、を備える電池パックであって、
循環通路には、
隣り合う電池セルの隙間によって形成される複数の電池通路（１３４）と、
電池通路の流入口（１３４ａ、１３４ｃ）に面した空間であって、各々の流入口へ流体を分配する流入側空間（Ｓｉｎ）と、
電池通路の流出口（１３４ｂ）に面した空間であって、各々の流出口から流体を集合させる流出側空間（Ｓｏｕｔ）と、
流入側空間および流出側空間とは異なる通路であって、筐体の内面に沿う通路である筐体沿い通路（１３１、１３２）と、
が含まれており、
流入側空間での流体の流速（Ｖ２）および流出側空間での流体の流速（Ｖ４）の少なくとも一方が、電池通路での流体の流速（Ｖ３）よりも遅くなるように、循環通路が形成されており、
筐体の内面には、筐体沿い通路へ突出して流体と熱交換するフィン（１５１）が設けられており、
筐体沿い通路は、フィンが配置されるフィン領域（１３１ａ）と、フィン領域の上流側に連通する領域であってフィンが配置されていないフィンレス領域（１３１ｂ）とに区画されており、
フィン領域へ流体が流入する流入口であるフィン流入口（１５１ａ）の面積は、フィンレス領域へ流体が流入する流入口であるフィンレス流入口（１３１ｃ）の面積よりも大きいことを特徴とする。
【手続補正１１】
【補正対象書類名】明細書
【補正対象項目名】０１４０
【補正方法】変更
【補正の内容】
【０１４０】
このように本実施形態では、流入口１３４ｃの変更に伴い流入側空間Ｓｉｎの形状が変更されているものの、Ｖ２＜Ｖ１、Ｖ４＜Ｖ１、Ｖ２＜Ｖ３、Ｖ４＜Ｖ３といった流速の大小関係は第１実施形態と同様になるよう、循環通路１３０は形成されている。よって、本実施形態によっても第１実施形態と同様の効果が発揮される。